(57)【特許請求の範囲】
【請求項１】
電波を受信するアンテナと、指針を駆動する複数のステップモータとを備えた指針式電波修正時計において、
前記指針の支軸を含む仮想鉛直平面により区分けされた２つの領域のうち、一方の領域に前記アンテナが配置され、他方の領域に、前記複数のステップモータのうち少なくとも一つが配置されているとともに、
前記支軸に沿った方向から視て、少なくとも前記他方の領域に配置されたステップモータの全てを覆い、かつ前記アンテナを覆わないように配設された耐磁板を備えたことを特徴とする指針式電波修正時計。
【請求項２】
前記複数のステップモータの全てが、前記他方の領域に配置されていることを特徴とする請求項１に記載の指針式電波修正時計。
【請求項３】
前記複数のステップモータのうち少なくとも一つと、該少なくとも一つのステップモータが駆動する指針とを連結する輪列機構の変位位置を検出することにより、該指針の運針位置を検出する指針位置検出手段と、
前記指針位置検出手段によって検出された変位位置に応じて、前記指針の運針位置を修正する指針位置修正手段とを備えたことを特徴とする請求項２に記載の指針式電波修正時計。
【請求項４】
前記複数のステップモータのうち少なくとも一つが、前記アンテナが配置された一方の領域に配置されているとともに、
前記一方の領域に配置されているステップモータと該ステップモータが駆動する指針とを連結する輪列機構の変位位置を検出することにより、該指針の運針位置を検出する指針位置検出手段と、
前記指針位置検出手段によって検出された変位位置に応じて、前記指針の運針位置を修正する指針位置修正手段とを備え、
前記耐磁板は、前記一方の領域に配置されているステップモータを覆わないように配設されていることを特徴とする請求項１に記載の指針式電波修正時計。
【請求項５】
前記指針位置検出手段は、秒針が連結された輪列機構の変位位置を検出することにより、該秒針の運針位置を検出するものであることを特徴とする請求項３または４に記載の指針式電波修正時計。
【請求項６】
前記指針位置検出手段は、前記支軸に沿った方向から視て、筒車と重ならない位置に配置されていることを特徴とする請求項３から５のうちいずれか１項に記載の指針式電波修正時計。
【請求項７】
前記耐磁板は、前記指針式電波修正時計の厚さ方向の文字板側と裏蓋側との両側から、それぞれ前記ステップモータを覆うように、少なくとも２つ配設されていることを特徴とする請求項１から６のうちいずれか１項に記載の指針式電波修正時計。
【請求項８】
日付を表示する日板を備え、
前記耐磁板のうち前記文字板側の耐磁板は、前記厚さ方向について、前記日板よりも前記裏蓋側に配設されていることを特徴とする請求項７に記載の指針式電波修正時計。
【請求項９】
前記文字板側の耐磁板と前記裏蓋側の耐磁板とは、その耐磁性能が互いに異なるものであることを特徴とする請求項７または８に記載の指針式電波修正時計。
【請求項１０】
前記文字板側の耐磁板と前記裏蓋側の耐磁板とは、その厚さが互いに異なるものであることを特徴とする請求項９に記載の指針式電波修正時計。
【請求項１１】
前記文字板側の耐磁板と前記裏蓋側の耐磁板とのうち一方にのみ、加熱処理が施されていることを特徴とする請求項９に記載の指針式電波修正時計。
【請求項１２】
所定の方向に延びた腕時計バンドを支持するとともに、
前記腕時計バンドの延びる方向に直交した、前記支軸を通る仮想軸上に、その中央部が配置されるように前記アンテナが配設されていることを特徴とする請求項１から１１のうちいずれか１項に記載の指針式電波修正時計。
【発明の詳細な説明】
【技術分野】
【０００１】
本発明は、指針式電波修正時計に関し、詳細には、アンテナと複数のステップモータとの配置関係の改良に関する。
【背景技術】
【０００２】
従来より、時計の時針、分針、秒針、日付を表す日板等の指針を、ステップモータにより駆動する時計が知られている。
【０００３】
また、近年は、標準時刻電波を受信し、この電波に基づいて、ステップモータが秒針等指針の指示位置を正しい指示位置に修正する、いわゆる電波修正時計も普及している。
【０００４】
ここで、電波修正時計は、時刻等の指示に対して非常に厳密な精度が要求されており、この要求に応えるとともに、指示時刻等の修正動作に要する時間を短縮するために、各指針ごとに対応してステップモータを設けるなど、一つの電波修正時計の内部に、複数のステップモータが備えられたものもある（特許文献１）。
【特許文献１】特開２００５−０２４３１９号公報
【発明の開示】
【発明が解決しようとする課題】
【０００５】
ところで、時計が、テレビなどの電気製品に近接して置かれると、時計内部のステップモータが、これらの電気製品に内蔵された磁石から放出される外部磁気によって影響を受ける虞がある。
【０００６】
そこで、ステップモータが、この影響を受けないようにするために、磁気を吸収する耐磁板を、時計の内部に配設することが考えられる。
【０００７】
しかし、電波修正時計のように、内蔵されたアンテナで電波（電磁波）を受信する場合、アンテナが受信しようとする電波を、耐磁板が吸収してしまい、受信感度の低下を招く虞がある。
【０００８】
本発明は上記事情に鑑みなされたものであって、内蔵されたアンテナの受信感度が低下するのを防止しつつ、内蔵された複数のステップモータのうち少なくとも一部が、外部磁気の影響を受けるのを防止または抑制することができる指針式電波修正時計を提供することを目的とする。
【課題を解決するための手段】
【０００９】
本発明に係る指針式電波修正時計は、指針の支軸を含む仮想鉛直平面によって、時計を２つの領域に区画したとき、複数のステップモータのうち少なくとも一部を耐磁板（磁気シールド板）で覆うとともに、この耐磁板で覆われたステップモータをアンテナとは異なる領域に配置することにより、アンテナの受信感度の低下を防止しつつ、ステップモータのうち少なくとも一部が、外部磁気の影響を受けるのを防止または抑制するものである。
【００１０】
すなわち、本発明に係る指針式電波修正時計は、電波を受信するアンテナと、指針を駆動する複数のステップモータとを備えた指針式電波修正時計において、前記指針の支軸を含む仮想鉛直平面により区分けされた２つの領域のうち、一方の領域に前記アンテナが配置され、他方の領域に、前記複数のステップモータのうち少なくとも一つが配置されているとともに、前記支軸に沿った方向から視て、少なくとも前記他方の領域に配置されたステップモータの全てを覆い、かつ前記アンテナを覆わないように配設された耐磁板を備えたことを特徴とする。
【００１１】
ここで、「指針」には、秒針、分針、時針等の時刻指示用の指針だけでなく、例えばカレンダー機能付きの指針式電波修正時計にあっては、日板（日付が記載されたリング状板）も指針の一つとして含むものとする。
【００１２】
「指針の支軸」は、指針の回転中心に設けられた軸である。また、「支軸に沿った方向から視て」とは、時計の文字板側や裏蓋側から時計の厚さ方向に沿った視線により視ることを意味する。
【００１３】
したがって、「支軸に沿った方向から視てステップモータを覆う」とは、時計の厚さ方向について、ステップモータが耐磁板に重なっている状態、すなわち、文字板側から視たとき、または裏蓋側から視たときに、ステップモータが耐磁板の背面側にあり、耐磁板に隠れた状態となっていることを意味する。
【００１４】
このように構成された本発明に係る指針式電波修正時計によれば、複数のステップモータのうち少なくとも一つは、耐磁板により覆われているため、外部磁気からの影響を防止、または抑制することができる。
【００１５】
一方、アンテナが配置された一方の領域は、指針の支軸を含む仮想鉛直平面によって区分けされた２つの領域のうち、耐磁板により覆われているステップモータが配置されている領域とは異なる側の領域であるため、電波をも吸収する耐磁板から遠く離れた配置となり、アンテナの受信感度を低下させることがない。
【００１６】
したがって、本発明に係る指針式電波修正時計は、内蔵されたアンテナの受信感度が低下するのを防止しつつ、内蔵された複数のステップモータのうち少なくとも一部が、外部磁気の影響を受けるのを防止または抑制することができる。
【００１７】
なお、アンテナの配置領域とは異なる他方の領域に配置されるステップモータは、複数のステップモータのうち、一部のステップモータだけであってもよいし、全てのステップモータであってもよい。
【００１８】
一部のステップモータだけを他方の領域に配置した構成の指針式電波修正時計にあっては、残りのステップモータは、アンテナが配置された一方の領域に配置されていることになるが、この一方の領域に配置されているステップモータは、そのステップモータ自体が耐磁性能の高いものであるか、あるいは、耐磁性能は高くないが、適切な動作を補償する手段が備えられているものであればよい。
【００１９】
適切な動作を補償する手段としては、ステップモータと、そのステップモータが駆動する指針とを連結する輪列機構の変位位置を検出することにより、その指針の運針位置を検出する指針位置検出手段と、指針位置検出手段によって検出された変位位置に応じて、指針の運針位置を修正する指針位置修正手段とからなるもの等を適用することができる。
【発明の効果】
【００２０】
本発明に係る指針式電波修正時計によれば、内蔵されたアンテナの受信感度が低下するのを防止しつつ、内蔵された複数のステップモータのうち少なくとも一部が、外部磁気の影響を受けるのを防止または抑制することができる。
【発明を実施するための最良の形態】
【００２１】
以下、本発明に係る指針式電波修正時計の具体的な実施の形態について、図面を参照して説明する。
（実施例１）
図１は、本発明の一実施形態に係る指針式の電波修正腕時計１０の内部構成を、裏蓋側から視た模式図である。
【００２２】
図示の腕時計１０は、時計ケース１１の内部に、標準時刻電波を受信するアンテナ１３と、秒針および分針を駆動する第１ステップモータ１４と、時針を駆動する第２ステップモータ１５と、日車（日板）を駆動する第３ステップモータ１６とを備え、これらの指針（秒針、分針、時針、日車）の支軸１７を含む仮想鉛直平面（図の紙面に直交する平面）Ｐにより区分けされた２つの領域Ｒ１，Ｒ２のうち、第１領域（一方の領域）Ｒ１にアンテナ１３が配置され、第２領域（他方の領域）Ｒ２に、これらステップモータ１４，１５，１６の全てが配置されているとともに、支軸１７に沿った方向（図面の紙面に直交する方向）から視て、第２領域Ｒ２に配置されたこれらステップモータ１４，１５，１６の全てを覆い、かつアンテナ１３を覆わないように耐磁板１８が配設された構成である。
【００２３】
ここで、本実施形態の腕時計１０は、カレンダー機能付きであるため、秒針、分針およの時針の時刻指示用の指針の他に、日付が記載されたリング状の日車（日板）も指針の一つとして含むが、このような日車を備えないものであってもよい。
【００２４】
また、耐磁板１８は、ステップモータ１４，１５，１６が配置された第２領域Ｒ２の略全面を覆う形状であるが、図２に示すように、第２領域Ｒ２の略全面を覆うことなく、ステップモータ１４，１５，１６を覆う最小限の形状であってもよく、より小さな形状とすることで、重量の軽減や、コストの低減を図ることができる。
【００２５】
秒針等の指針の支軸１７は、指針の回転中心に設けられて腕時計１０の厚さ方向に延びた軸であり、腕時計１０の文字板の略中心に支持されている。
【００２６】
図３は、図１に示した腕時計１０の厚さ方向について、ステップモータ１４（ステップモータ１５およびステップモータ１６についても同様）を含む、鉛直平面による要部断面図である。
【００２７】
図３に示すように、各ステップモータ１４，１５，１６は、腕時計１０の厚さ方向の文字板１９側と裏蓋（図示せず）側とにそれぞれ配設された耐磁板１８（文字板側の耐磁板１８ａと裏蓋側の耐磁板１８ｂ）によって挟まれるように、それぞれに覆われているが、文字板１９側の耐磁板１８ａまたは裏蓋側の耐磁板１８ｂのみを備えたものであってもよい。
【００２８】
なお、図３において、符号３０は、秒針および分針と第１ステップモータ１４とを連結する輪列機構であり（図の断面においては連結部分は省略されている）、符号３５は五番車、符号２１は輪列受、符号２３はステップモータ１４，１５，１６の駆動を制御する回路ブロック、符号２２は地板、符号２４は日車、符号２５は日車押え、符号２６はソーラーセルをそれぞれ示す。
【００２９】
このように構成された本実施形態の腕時計１０によれば、各ステップモータ１４，１５，１６は、指針の支軸１７に沿った方向から視て、耐磁板１８により覆われているため、外部磁気の影響を受けるのを防止または抑制することができる。
【００３０】
一方、アンテナ１３が配置された第１領域Ｒ１は、腕時計１０の文字板１９の略中心（指針の支軸１７）を含む仮想鉛直平面Ｐによって区分けされた２つの領域Ｒ１，Ｒ２のうち、耐磁板１８により覆われているステップモータ１４，１５，１６とは異なる側の領域であるため、標準時刻電波をも吸収する耐磁板１８から遠く離れた配置となり、アンテナ１３の受信感度を低下させることがない。
【００３１】
したがって、この腕時計１０は、内蔵されたアンテナ１３の受信感度が低下するのを防止しつつ、内蔵された複数のステップモータ１４，１５，１６が、外部磁気の影響を受けるのを防止または抑制することができる。
【００３２】
また、各ステップモータ１４，１５，１６は、文字板１９側の耐磁板１８ａと裏蓋側の耐磁板１８ｂとによって、腕時計１０の厚さ方向の両側から覆われているため、一方の側からのみ耐磁板１８ａまたは１８ｂで覆われているものよりも、ステップモータ１４，１５，１６への外部磁気の影響をさらに防止あるいは抑制することができる。
【００３３】
なお、両耐磁板１８ａ，１８ｂは、その耐磁性能が互いに異なるものであってもよい。両耐磁板１８ａ，１８ｂによって、全体として所望とする耐磁性能を既に上回っているときは、一方の耐磁板１８ａ（または１８ｂ）の耐磁性能を、他方の耐磁板１８ｂ（または１８ａ）に対して低減しても、両耐磁板１８ａ，１８ｂ全体として所望とする耐磁性能を確保できている限りにおいて、一方の耐磁性能を他方よりも低くすることで、過剰品質を防止し、耐磁性能の低減による製造コストや製造工数の低減を図ることができる。
【００３４】
両耐磁板１８ａ，１８ｂの耐磁性能を互いに異なるものとする具体的な構成としては、両耐磁板１８ａ，１８ｂの厚さを互いに異なるものとしたり、一方の耐磁板１８ａまたは１８ｂにのみ加熱処理を施して、他方の耐磁板１８ｂまたは１８ａには加熱処理を施さない構成などを適用することができる。
【００３５】
一方の耐磁板１８ａまたは１８ｂの厚さを、他方の耐磁板１８ｂまたは１８ａより厚さを薄くすることにより、薄くした分だけ、腕時計１０全体の厚さを薄くすることができるとともに、コストを下げることもできる。
【００３６】
なお、実用面からは、文字板１９側の耐磁板１８ａの厚さを、裏蓋側の耐磁板１８ｂの厚さよりも薄くするのが好ましい。裏蓋側の耐磁板１８ｂは、時計ムーブメントの輪列機構３０や回路ブロック２３等を押さえる機能も有するため、文字板１９側の耐磁板１８ａよりも強度が求められるからである。
【００３７】
また、一方の耐磁板１８ｂまたは１８ａにのみ加熱処理が施され、他方の耐磁板１８ａまたは１８ｂに加熱処理が施されていないことにより、加熱処理に要する工数や費用を削減することができる。
【００３８】
本実施形態の腕時計１０は、日車２４を備えているが、図３に示すように、文字板１９側の耐磁板１８ａは、腕時計１０の厚さ方向について、日車２４よりも裏蓋側に配設されている、換言すれば、文字板１９側の耐磁板１８ａよりも日車２４の方が、文字板１９に近く配設されている。
【００３９】
日車２４は、他の時刻表示用指針（秒針、分針、時針）とは異なり、文字板１９の背面に近接して配置される必要があり、文字板１９と日車２４との間に耐磁板１８ａが配置されると、この文字板１９と日車２４との間で耐磁板１８ａをネジ止めなどで時計ムーブメントに固定するのが難しくなるとともに、文字板１９における日窓（日付表示窓）の位置が変わるごとに、文字板１９と日車２４との間の耐磁板１８ａが、日窓から露呈しないように、耐磁板１８ａの形状を変えなければならない。
【００４０】
これに対して、文字板１９側の耐磁板１８ａを、腕時計１０の厚さ方向について、日車２４よりも裏蓋側に配設した本実施形態の腕時計１０によれば、当該耐磁板１８ａを時計ムーブメントに固定するのが困難となることがなく、しかも、文字板１９における日窓の位置が変わっても、当該耐磁板１８ａは、日窓の位置では日車２４の背面側に隠れ、日窓から耐磁板１８ａが露呈することがない。
【００４１】
また、デザイン変更などにより日窓の位置が変わっても、耐磁板１８ａを作り変える必要がないので、多種多様なデザインに対応することが可能となる。
【００４２】
さらに、本実施形態の腕時計１０は、図１に示すように、腕時計バンド１２の延びる方向に直交し、かつ支軸１７を通る仮想軸Ｑ上に、その略中央部が配置されるように、アンテナ１３が配設されている。
【００４３】
腕時計バンド１２の延びる方向には、時計ケース１１に、腕時計バンド１２を支持するためのバンド支持部１１ａが突出しており、腕時計バンド１２が金属製であるときやバンド支持部１１ａは、アンテナ１３の受信感度の低下を招来させる。
【００４４】
しかし、本実施形態の腕時計１０のように、腕時計バンド１２の延びる方向に直交し、かつ指針の支軸１７を通る仮想軸Ｑ上に、その略中央部が配置されるようにアンテナ１３が配設されていると、アンテナ１３は、バンド支持部１１ａや金属製の腕時計バンド１２から離れた位置に配置されるため、アンテナ１３の受信感度の低下を抑制することができる。
【００４５】
本実施形態の腕時計１０は、文字板１９上の１２時（Ｍ１２）と６時（Ｍ６）を結ぶ線に沿って、腕時計バンド１２が延びているため、アンテナ１３の略中央部が、文字板上の９時（Ｍ９）（または３時（Ｍ３））の位置となるように配置されて、アンテナ１３の受信感度の低下を抑制している。
【００４６】
また、本実施形態の腕時計１０のアンテナ１３は、図４に示すように、その磁芯が、指針の支軸１７を中心として概略１３０度の角度範囲θに亘って延在するように形成されており、このように広角度範囲に延びた形状により、アンテナ１３の受信感度が向上し、アンテナ１３の略中央部が文字板上の９時（Ｍ９）の位置となる配置、および全てのステップモータ１４，１５，１６を第２領域Ｒ２に配置する構成を、実現し易くすることができる。
【００４７】
なお、本実施形態の腕時計１０は、図５に示すように、時計ケース１１の外部に突出したスイッチ２８が押下されたとき、このスイッチ２８を押下前の位置に、弾性変形の復元力によって戻すスイッチ戻し片２９ａが形成された金属製のスイッチ戻し部材２９を備えているが、このスイッチ戻し部材２９の一部には、腕時計１０のステップモータ１６等の動力源であるボタン型電池２７の側部に当接しつつ、弾性変形の復元力によってボタン型電池２７の側部を押圧するバッテリ側圧片２９ｂが形成されている。
【００４８】
このように、単一の部材であるスイッチ戻し部材２９が、２つの機能部（スイッチ戻し片２９ａおよびバッテリ側圧片２９ｂ）を有することにより、部品点数とコストの低減を図りつつ、部品の配置効率を向上させることができる。
（変形例）
上述した実施形態の腕時計１０においては、図６の要部断面図に示すように、ステップモータ１４，１５，１６のうち少なくとも一つ（例えば、秒針駆動用のステップモータ１４）と、このステップモータ１４が駆動する指針（例えば、秒針）とを連結する輪列機構の変位位置を検出することにより、この秒針の運針位置を検出するＬＥＤ５１、フォトトランジスタ５２、五番車３５の所定位置に形成された開口３５ａ、検出車３８に形成された開口３８ａからなる指針位置検出手段と、指針位置検出手段によって検出された秒針の運針位置に応じて、秒針の運針位置を修正するようにステップモータ１４を制御する回路ブロック２３ａ，２３ｂからなる指針位置修正手段とを、さらに備えた構成を採ることもできる。
【００４９】
ここで、図６中の符号４０は時針が取り付けられている筒車、符号３２は分針が取り付けられている二番車、符号３４は秒針が取り付けられている四番車、符号３３は二番車３２および四番車３４と噛合する三番車である。
【００５０】
符号３８は、四番車３４と同一形状であって、筒車４０の外側に配置されており、五番車３５と噛合することで、四番車３４と同一の角速度で回転し、四番車３４の動きをモニタする検出専用の車である。
【００５１】
四番車３４には秒針が嵌合されて、文字板１９上において、６０秒間で１回転するため、検出車３８も６０秒間で１回転し、この検出車３８に形成された開口３８ａは、６０秒間で１回だけ、図示したＬＥＤ５１とフォトトランジスタ５２とを結ぶ直線上に位置する。
【００５２】
また、五番車３５は四番車３４と噛合して、６０秒間で例えば４回転し、この五番車３５に形成された開口３５ａは、６０秒間で４回、図示したＬＥＤ５１とフォトトランジスタ５２とを結ぶ直線上に位置する。
【００５３】
この結果、フォトトランジスタ５２は、検出車３８に形成された開口３８ａと五番車３５に形成された開口３５ａとが、ＬＥＤ５１とフォトトランジスタ５２とを結ぶ直線上に、同時に位置したときだけ、ＬＥＤ５１から発せられたＬＥＤ光Ｌを受光する。
【００５４】
したがって、フォトトランジスタ５２がＬＥＤ光Ｌの受光タイミングを、秒針が文字板１９の１２時（Ｍ１２）を指示するタイミングに一致させておくことにより、フォトトランジスタ５２がＬＥＤ光Ｌを受光したタイミングで、秒針の特定の運針位置、すなわち秒針が文字板１９の１２時（Ｍ１２）を指示したタイミングを検出することができる。
【００５５】
そして、アンテナ１３が受信した標準時刻電波に含まれた正確な時刻の秒と、フォトトランジスタ５２がＬＥＤ光Ｌを受光したタイミングとのずれ量を、回路ブロック２３ａ，２３ｂが算出し、この算出されたずれ量を解消するように、第１ステップモータ１４を駆動制御することにより、秒針を正確な時刻（秒）に維持することができる。
【００５６】
このように構成された変形例の腕時計１０によれば、各ステップモータ１４，１５，１６は、指針の支軸１７に沿った方向から視て、耐磁板１８により覆われているため、外部磁気の影響を受けるのを防止または抑制することができる。
【００５７】
一方、アンテナ１３が配置された第１領域Ｒ１は、腕時計１０の文字板１９の略中心（指針の支軸１７）を含む仮想鉛直平面Ｐによって区分けされた２つの領域Ｒ１，Ｒ２のうち、耐磁板１８により覆われているステップモータ１４，１５，１６とは異なる側の領域であるため、標準時刻電波をも吸収する耐磁板１８から遠く離れた配置となり、アンテナ１３の受信感度を低下させることがない。
【００５８】
さらに指針位置検出手段が、そのステップモータ１４が駆動する秒針の運針の特定位置を検出し、指針位置修正手段が、指針位置検出手段によって検出された運針位置に応じて秒針の運針位置を修正するため、外部磁気以外の外的要因（例えば、物理的な衝撃の入力等）があっても、高精度な運針動作と確実な修正動作を確保することができる。
【００５９】
特に、指針式の腕時計１０における秒針は、全ての指針のうちで最も動きが速いため、時間的には僅かなずれであっても、運針位置（角度）としては、分針や時針など他の指針に比べて大きなずれとして視認され易い。
【００６０】
つまり、放送などで流された正時の時報を聞いた際に、秒針の指示を視て運針位置ずれの有無を確認するのが、主に秒針である。
【００６１】
しかも、秒針は支軸１７に対する保持力が他の指針のそれよりも小さいため、運針位置ずれを比較的起こしやすい。
【００６２】
したがって、指針位置検出手段が、秒針が連結された輪列機構３０の変位位置を検出して、指針位置修正手段が秒針の運針位置を修正することにより、秒針の運針位置ずれが視認される機会を低減することができる。
【００６３】
また、全てのステップモータ１４，１５，１６のうち、秒針の輪列機構に対してのみ、指針位置検出手段を備えればよいため、全ての指針にそれぞれ対応する輪列機構に個別に指針位置検出手段を備える構成に比べて、構成部品点数の低減と、それに伴う製造コストの低減を図ることができる。
【００６４】
この場合、全ての指針にそれぞれ対応する輪列機構に個別に指針位置検出手段を備える代わりに、構成部品点数の低減や製造コストの低減を図る観点から、図７に示すごとく、全ての指針が同軸に配置された部分、すなわち、秒針の四番車３４、分針の二番車３２、時針の筒車４０および五番車３５が同軸に配置された部分で、これらにそれぞれ形成された各開口３４ａ，３２ａ，４０ａ，３５ａが一直線上に並ぶのを検出するように、単一の指針位置検出手段（ＬＥＤ５１およびフォトトランジスタ５２）を備える構成も可能であるが、このように四番車３４、二番車３２、筒車４０および五番車３５が同軸に配置された部分に指針位置検出手段を配設すると、支軸１７に沿った方向から視て、指針位置検出手段は、これら四番車３４、二番車３２、筒車４０および五番車３５に重なる位置に配置されることとなり、腕時計の厚さＨの増大を招くことになる。
【００６５】
しかし、本変形例の腕時計１０では、時針や日車２４については、これらを駆動する第２ステップモータ１５および第３ステップモータ１６が、アンテナ１３とは異なる側である第２領域Ｒ２に配置され、しかもこれらのステップモータ１５，１６は耐磁板１８に覆われているため、これら時針や日車２４に対して、指針位置検出手段等を設けなくても、高精度な運針動作と確実な修正動作を確保することができる。
【００６６】
よって、他の指針に比べて運針位置ずれを起こしやすい秒針に対してのみ指針位置検出手段等を設ければよく、指針位置検出手段を、四番車３４、二番車３２、筒車４０および五番車３５に重なる位置に配置する必要がなく、腕時計の厚さＨが増大するのを防止することができる。
【００６７】
なお、本変形例では、検出車３８の変位位置を検出することで、秒針の運針位置を検出するものであるが、検出車３８以外の輪列機構３０の変位位置を検出することで、秒針の運針位置を検出するものであってもよい。
【００６８】
また、本変形例は、検出車３８および五番車３５の両開口３８ａ，３５ａを透過したＬＥＤ光Ｌを、フォトトランジスタ５２で検出するものであるが、検出車３８に開口３８ａを形成する代わりにミラー等の反射板を設け、フォトトランジスタ５２をＬＥＤ５１と同じ側に設けて、五番車３５の開口３５ａを透過し、検出車３８の反射板で反射された光Ｌをフォトトランジスタ５２で検出する構成を採用することもできる。
【００６９】
また、指針位置検出手段として、上述したＬＥＤ５１、フォトトランジスタ５２および各開口３８ａ，３５ａという光学的な構成の他、磁気的な構成や電気的な構成を適用することもできる。
【００７０】
なお、図３，６に示したソーラーセル２６は、文字板１９の正面側から視ると、図８に示すように、ソーラーセル支持枠６０によって固定されている。また、図８に示すように、日車２４は円環状に形成されている。
【００７１】
実施例１および変形例の腕時計１０は、図９に示すように、二番車３２の軸部に、概略円錐台周面形状の薄板弾性部材によって形成された二番押さえバネ７０の内周縁が係合されており、一方、二番車３２のツバ面が対向する地板２２の面に、深さΔＨだけ凹んだ凹部２２ａが形成されている。
【００７２】
この凹部２２ａの直径は、二番押さえバネ７０が平面状に圧縮された状態のときの外径よりも大きく形成されている。また、凹部２２ａの深さΔＨは、二番押さえバネ７０が平面状に圧縮された状態のときの厚さよりもわずかに深く設定されている。
【００７３】
この二番押さえバネ７０は、二番車３２に嵌合する分針および四番車３４に嵌合する秒針がふらつくのを防止するため、二番車３２および四番車３４に一定の負荷を与えるが、従来は、地板２２に凹部２２ａが形成されていなかったため、二番車３２から分針を抜き取る際や、四番車３４から秒針を抜き取る際に、二番車３２のみが、または四番車３４と二番車３２とが、図９の矢印方向（図示において下方）に強く引っ張られ、これによって、二番押さえバネ７０が、二番車３２のツバ面と地板２２の面との間に挟まれて、平板状に潰れ、これによって二番押さえバネ７０がへたり、弾性回復力を失い、二番車３２および四番車３４に与えるべき負荷を与えられなくなっていた。
【００７４】
しかし、本実施形態のものでは、二番車３２矢印方向に強く引っ張られ、これによって、二番押さえバネ７０が、二番車３２のツバ面と地板２２の面との間に挟まれても、二番押さえバネ７０は、二番押さえバネ７０の板厚よりも深い深さΔＨの凹部２２ａに入るため、二番押さえバネ７０は平板状になるまで潰れることがない。
【００７５】
したがって、二番押さえバネ７０がへたることがなく、弾性回復力の余力を残し、二番車３２および四番車３４に負荷を与えることができる。
（実施例２）
図１０は、本発明の一実施形態に係る指針式の電波修正腕時計１０の内部構成を示す図である。
【００７６】
図示の腕時計１０は、時計ケース１１の内部に、標準時刻電波を受信するアンテナ１３と、秒針および分針を駆動する第１ステップモータ１４と、時針を駆動する第２ステップモータ１５と、日車を駆動する第３ステップモータ１６とを備え、これらの指針（秒針、分針、時針、日車）の支軸１７を含む仮想鉛直平面（図の紙面に直交する平面）Ｐにより区分けされた２つの領域Ｒ１，Ｒ２のうち、第１領域Ｒ１にアンテナ１３と第１ステップモータ１４が配置され、第２領域Ｒ２に、第２ステップモータ１５および第３ステップモータ１６が配置され、支軸１７に沿った方向（図面の紙面に直交する方向）から視て、第２領域Ｒ２に配置されたステップモータ１５，１６を覆い、かつアンテナ１３および第１ステップモータ１４を覆わないように耐磁板１８が配設された構成である。
【００７７】
ここで、第１領域Ｒ１に配置され、かつ耐磁板１８で覆われていない秒針駆動用の第１ステップモータ１４には、前述した変形例と同様に、このステップモータ１４が駆動する輪列機構の変位位置を検出することにより、この秒針の運針位置を検出するＬＥＤ５１、フォトトランジスタ５２などからなる指針位置検出手段と、指針位置検出手段（ＬＥＤ５１、フォトトランジスタ５２等）によって検出された秒針の運針位置に応じて、秒針の運針位置を修正するように第１ステップモータ１４を制御する指針位置修正手段とが備えられている。
【００７８】
そして、このように構成された実施形態の腕時計１０によれば、第２ステップモータ１５および第３ステップモータ１６は、指針の支軸１７に沿った方向から視て、耐磁板１８により覆われているため、外部磁気の影響を受けるのを防止または抑制することができる。
【００７９】
一方、第１ステップモータ１４は、耐磁板１８で覆われていないことにより、外部磁気の影響を受け易い状態にあるが、指針位置検出手段が、第１ステップモータ１４が駆動する秒針の運針位置を検出し、指針位置修正手段が、指針位置検出手段によって検出された秒針の運針位置に応じて、その運針位置を修正するため、この第１ステップモータ１４についても、高精度な運針動作と確実な修正動作を確保することができる。
【００８０】
また、アンテナ１３は、が配置された第１領域Ｒ１は、腕時計１０の文字板１９の略中心（指針の支軸１７）を含む仮想鉛直平面Ｐによって区分けされた２つの領域Ｒ１，Ｒ２のうち、耐磁板１８により覆われているステップモータ１５，１６とは異なる側の領域であるため、標準時刻電波をも吸収する耐磁板１８から遠く離れた配置となり、アンテナ１３の受信感度を低下させることがない。
【００８１】
したがって、この腕時計１０は、内蔵されたアンテナ１３の受信感度が低下するのを防止しつつ、内蔵された複数のステップモータ１４，１５，１６が、外部磁気の影響を受けるのを防止または抑制することができる。
【００８２】
さらに、耐磁板１８は、第１ステップモータ１４を覆う必要がないため、より小さい形状のものを適用することができ、耐磁板１８の小型化に伴うコストの低減を図ることができる。
【００８３】
また、本実施形態の腕時計１０では、時針や日車については、これらを駆動する第２ステップモータ１５および第３ステップモータ１６が耐磁板１８に覆われているため、これら時針や日車に対して、指針位置検出手段等を設けなくても、高精度な運針動作と確実な修正動作を確保することができる。
【００８４】
よって、指針位置検出手段等を、図７に示したように、四番車３４、二番車３２、筒車４０および五番車３５に重なる位置に配置する必要がなく、腕時計１０の厚さＨが増大するのを防止することができる。
【図面の簡単な説明】
【００８５】
【図１】本発明の一実施形態（実施例１）に係る指針式の電波修正腕時計の内部構成を示す図である。
【図２】図１に示した腕時計の耐磁板を小さくした例を示す図である。
【図３】図１に示した腕時計の要部断面を示す断面図である。
【図４】図１，２に示した腕時計におけるアンテナを強調して示す図である。
【図５】図１，２に示した腕時計におけるスイッチ戻し部材を拡大して示す図である。
【図６】図１に示した実施形態の変形例の要部断面を示す断面図である。
【図７】支軸の筒車部分に指針位置検出手段を設けた比較例の要部断面を示す断面図である。
【図８】ソーラーセルおよび日車の配置状態を示す図である。
【図９】二番押さえバネのへたりを防止する改良を示す要部断面図である。
【図１０】本発明の他の実施形態（実施例２）に係る指針式の電波修正腕時計の内部構成を示す図である。
【符号の説明】
【００８６】
１０    腕時計（指針式電波修正時計）
１３    アンテナ
１４    第１ステップモータ
１５    第２ステップモータ
１６    第３ステップモータ
１７    指針（秒針、分針、時針、日車）の支軸
１８    耐磁板
Ｒ１    第１領域
Ｒ２    第２領域
【図１】
0004827561.tif 000002
【図２】
0004827561.tif 000003
【図３】
0004827561.tif 000004
【図４】
0004827561.tif 000005
【図５】
0004827561.tif 000006
【図６】
0004827561.tif 000007
【図７】
0004827561.tif 000008
【図８】
0004827561.tif 000009
【図９】
0004827561.tif 000010
【図１０】
0004827561.tif 000011